(57)【要約】【課題】簡単な構成でありながら、雨水等による汚れを軽減し、表示部の視認性を良好に保つことができるガスメータを提供する。【解決手段】  ガスメータ１のボディ１２の上面には、フロントカバー１１の表面側、特に、表示部１１ａを覆うガラス板１１ｇ、に水が垂れることを防止するための傾斜１２ｃ、１２ｄ及び堤状の凸部１２ｅが設けられている。【選択図】図１
2005214705.tif 000002
【特許請求の範囲】
【請求項１】
フロント部に設けられた表示部を覆う透明の保護板を有するガスメータにおいて、
前記フロント部に連設された上面には、
前記上面側から前記フロント部側に水が垂れることを防止するための傾斜が設けられている、
ことを特徴とするガスメータ。
【請求項２】
フロント部に設けられた表示部を覆う透明の保護板を有するガスメータにおいて、
前記フロント部に連設された上面には、
前記上面側から前記フロント部側に水が垂れることを防止するための堤状の隆起が設けられている、
ことを特徴とするガスメータ。
【請求項３】
フロント部に設けられた表示部を覆う透明の保護板を有するガスメータにおいて、
前記フロント部に連設された上面には、
前記上面側から前記フロント部側に水が垂れることを防止するための傾斜及び堤状の隆起が設けられている、
ことを特徴とするガスメータ。
【請求項４】
請求項１又は請求項３記載のガスメータにおいて、
前記傾斜は、前記フロント部からみて前記上面の左右縁にそれぞれ向かうにしたがって徐々に低くなるように傾斜している、
ことを特徴とするガスメータ。
【請求項５】
請求項１又は請求項３記載のガスメータにおいて、
前記傾斜は、前記フロント部からみて前記上面の後縁に向かうにしたがって徐々に低くなるように傾斜している、
ことを特徴とするガスメータ。
【請求項６】
請求項２又は請求項３記載のガスメータにおいて、
フロントカバーと、このフロントカバーが装着される箱形のボディとが組み合わされて外形が構成されるガスメータであって、
前記隆起は、前記ボディ側に設けられた、前記フロントカバーの上面と一致する高さの凸部を含む、
ことを特徴とするガスメータ。
【請求項７】
請求項２又は請求項３記載のガスメータにおいて、
フロントカバーと、このフロントカバーが装着される箱形のボディとが組み合わされて外形が構成されるガスメータであって、
前記隆起は、前記フロントカバー側及び前記ボディ側にそれぞれ設けられた、組立時の面合わせにも兼用可能な凸部である、
ことを特徴とするガスメータ。
【発明の詳細な説明】
【技術分野】
【０００１】
本発明は、屋外に設置されるガスメータに関し、特に、フロント部に設けられた表示部を覆う透明の保護板を有するガスメータにおいて、フロント部側の保護板に水が垂れることを防止するための構造を有するガスメータに関する。
【背景技術】
【０００２】
近年、ガス使用量を液晶表示器により表示する電子式のガスメータが普及している。図７、図８及び図９はそれぞれ、従来のガスメータの正面図、上面図及び側面図である。図７〜図９に示すように、従来のガスメータ９の外形は、箱型のボディ９２、このボディ９２のフロント面に覆設されるフロントカバー９１から基本的に構成されている。ボディ９２の上面には、ガス供給源側に接続されるガス流入口９２ａ及びガス消費源側に接続されるガス流出口９２ｂが設けられている。ガスメータ９の内部には、図示しないマイコン等の電子機器、検出素子、遮断弁、電池等の内機が搭載されている。
【０００３】
フロントカバー９１は、複数のネジｎ１〜ｎ６により、ボディ９２のフロント面に固定されている。フロントカバー９１の略中央部には、ガス使用量等をディジタル表示する表示部９１ａが設けられている。表示部９１ａは、例えば、周知の液晶表示器である。この表示部９１ａを保護するために、ガラス板９１ｇがフロントカバー９１の表面と面一になるように覆設されている。なお、図７に示すように、表示部９１ａの隣側には、復帰スイッチ９１ｒも設けられている。
【０００４】
なお、この出願の発明に関連する先行技術文献情報としては次のものがある。
【特許文献１】特開２００２−２６７５０２号公報
【発明の開示】
【発明が解決しようとする課題】
【０００５】
ところで、このようなガスメータ９は、周知のように、屋外に設置されることも多い。そうすると、ガスメータ９が雨水にされされた場合、フラットな上面側に水が溜まり、限度をこすとその上面側から表面側のガラス板９１ｇに水が垂れてくる可能性もある。しかしながら、上述したように、この種のガスメータ９は、この表示部９１ａを保護するためのガラス板９１ｇがフロントカバー９１の表面と面一になるように覆設されている。
【０００６】
このため、垂れてきた雨水が跡となってガラス板９１ｇに残ったり、ガラス板９１ｇにほこりが付きやすくなる。すなわち、従来のガスメータ９には、ガラス板９１ｇが汚れて、表示部９１ａの視認性が低下するという問題があった。
【０００７】
なお、上記特許文献１に示すガスメータにおいては、フロントカバーの表面に凸部を設けることにより、ガラス板の汚れを軽減するアイディアが開示されているが、この凸部によりガスメータの奥行きが規定サイズを満足できなくなることがあり、実用的に問題があった。
【０００８】
よって本発明は、上述した現状に鑑み、簡単な構成でありながら、雨水等による汚れを軽減し、表示部の視認性を良好に保つことができるガスメータを提供することを課題としている。
【課題を解決するための手段】
【０００９】
上記課題を解決するためになされた請求項１記載のガスメータは、フロント部に設けられた表示部を覆う透明の保護板を有するガスメータにおいて、前記フロント部に連設された上面には、前記上面側から前記フロント部側に水が垂れることを防止するための傾斜が設けられている、ことを特徴とする。
【００１０】
請求項１記載の発明によれば、フロント部に連設された上面には、上面側からフロント部側に水が垂れることを防止するための傾斜が設けられているので、雨水等による保護板の汚れを軽減できる。
【００１１】
上記課題を解決するためになされた請求項２記載のガスメータは、フロント部に設けられた表示部を覆う透明の保護板を有するガスメータにおいて、前記フロント部に連設された上面には、前記上面側から前記フロント部側に水が垂れることを防止するための堤状の隆起が設けられている、ことを特徴とする。
【００１２】
請求項２記載の発明によれば、フロント部に連設された上面には、上面側からフロント部側に水が垂れることを防止するための堤状の隆起が設けられているので、雨水等による保護板の汚れを軽減できる。
【００１３】
上記課題を解決するためになされた請求項３記載のガスメータは、フロント部に設けられた表示部を覆う透明の保護板を有するガスメータにおいて、前記フロント部に連設された上面には、前記上面側から前記フロント部側に水が垂れることを防止するための傾斜及び堤状の隆起が設けられている、ことを特徴とする。
【００１４】
請求項３記載の発明によれば、フロント部に連設された上面には、上面側からフロント部側に水が垂れることを防止するための傾斜及び堤状の隆起が設けられているので、雨水等による保護板の汚れをより軽減できる。
【００１５】
上記課題を解決するためになされた請求項４記載のガスメータは、請求項１又は請求項３記載のガスメータにおいて、前記傾斜は、前記フロント部からみて前記上面の左右縁にそれぞれ向かうにしたがって徐々に低くなるように傾斜している、ことを特徴とする。
【００１６】
請求項４記載の発明によれば、上面の傾斜は、フロント部からみて上面の左右縁にそれぞれ向かうにしたがって徐々に低くなるように傾斜しているので、雨水等は表示部の保護板に垂れることなく、左右側面に垂れていくことになる。
【００１７】
上記課題を解決するためになされた請求項５記載のガスメータは、請求項１又は請求項３記載のガスメータにおいて、前記傾斜は、前記フロント部からみて前記上面の後縁に向かうにしたがって徐々に低くなるように傾斜している、ことを特徴とする。
【００１８】
請求項５記載の発明によれば、上面の傾斜は、フロント部からみて上面の後縁に向かうにしたがって徐々に低くなるように傾斜しているので、雨水等は表示部の保護板に垂れることなく、後面に垂れていくことになる。
【００１９】
上記課題を解決するためになされた請求項６記載のガスメータは、請求項２又は請求項３記載のガスメータにおいて、フロントカバーと、このフロントカバーが装着される箱形のボディとが組み合わされて外形が構成されるガスメータであって、前記隆起は、前記ボディ側に設けられた、前記フロントカバーの上面と一致する高さの凸部を含む、ことを特徴とする。
【００２０】
請求項６記載の発明によれば、表面側に水が垂れることを防止するための隆起として、ボディ側に設けられた、フロントカバーの上面と一致する高さの凸部を含むようにしているので、金型製作が容易になる。
【００２１】
上記課題を解決するためになされた請求項７記載のガスメータは、請求項２又は請求項３記載のガスメータにおいて、フロントカバーと、このフロントカバーが装着される箱形のボディとが組み合わされて外形が構成されるガスメータであって、前記隆起は、前記フロントカバー側及び前記ボディ側にそれぞれ設けられた、組立時の面合わせにも兼用可能な凸部である、ことを特徴とする。
【００２２】
請求項７記載の発明によれば、表面側に水が垂れることを防止するための凸部は、組立時のフロントカバー側及びボディ側の面合わせにも兼用可能であるので、組立作業が容易になる。
【発明の効果】
【００２３】
請求項１記載の発明によれば、フロント部に連設された上面には、上面側からフロント部側に水が垂れることを防止するための傾斜が設けられているので、雨水等による保護板の汚れを軽減できる。したがって、表示部の視認性を良好に保つことができる。
【００２４】
請求項２記載の発明によれば、フロント部に連設された上面には、上面側からフロント部側に水が垂れることを防止するための堤状の隆起が設けられているので、雨水等による保護板の汚れを軽減できる。したがって、表示部の視認性を良好に保つことができる。
【００２５】
請求項３記載の発明によれば、フロント部に連設された上面には、上面側からフロント部側に水が垂れることを防止するための傾斜及び堤状の隆起が設けられているので、雨水等による保護板の汚れをより軽減できる。したがって、表示部の視認性をより良好に保つことができる。
【００２６】
請求項４記載の発明によれば、上面の傾斜は、フロント部からみて上面の左右縁にそれぞれ向かうにしたがって徐々に低くなるように傾斜しているので、雨水等は表示部の保護板に垂れることなく、左右側面に垂れていくことになる。したがって、表示部の視認性を良好に保つことができる。
【００２７】
請求項５記載の発明によれば、上面の傾斜は、フロント部からみて上面の後縁に向かうにしたがって徐々に低くなるように傾斜しているので、雨水等は表示部の保護板に垂れることなく、後面に垂れていくことになる。したがって、表示部の視認性を良好に保つことができる。
【００２８】
請求項６記載の発明によれば、表面側に水が垂れることを防止するための隆起として、ボディ側に設けられた、フロントカバーの上面と一致する高さの凸部を含むようにしているので、上記視認性に係る効果に、金型製作が容易になるという効果も付加される。
【００２９】
請求項７記載の発明によれば、表面側に水が垂れることを防止するための凸部は、組立時のフロントカバー側及びボディ側の面合わせにも兼用可能であるので、上記視認性に係る効果に、組立作業が容易になるという効果も付加される。
【発明を実施するための最良の形態】
【００３０】
以下、本発明の実施の形態を図面に基づいて説明する。まず、図１〜図４を用いて、本発明のガスメータの一実施形態について説明する。図１、図２及び図３はそれぞれ、本発明のガスメータの一実施形態を示す正面図、上面図及び側面図である。図４は、図３のＸ部の拡大図である。
【００３１】
図１〜図３に示すように、ガスメータ１の外形は、箱型のボディ１２、このボディ１２のフロント面に覆設されるフロントカバー１１から基本的に構成されている。ボディ１２の上面には、ガス供給源側に接続されるガス流入口１２ａ及びガス消費源側に接続されるガス流出口１２ｂが設けられている。ガスメータ１の内部には、図示しないマイコン等の電子機器、検出素子、遮断弁、電池等の内機が搭載されている。
【００３２】
フロントカバー１１は、複数のネジｎ１〜ｎ４により、ボディ１２のフロント面に固定されている。フロントカバー１１の中央部からやや上方には、ガス使用量等をディジタル表示する表示部１１ａが設けられている。表示部１１ａは、例えば、周知の液晶表示器である。この表示部１１ａを保護するために、ガラス板１１ｇ（請求項の透明の保護板に対応する）がフロントカバー１１の表面と面一になるように覆設されている。表示部１１ａの隣側には、復帰スイッチ１１ｒが設けられている。
【００３３】
ボディ１２の上面は、フラットにはなっておらず、この上面側からフロントカバー１１の表面側に水が垂れることを防止するための傾斜１２ｃ、１２ｄが設けられている。詳しくは、傾斜１２ｃ、１２ｄは、フロント部からみて上面の左右縁にそれぞれ向かうにしたがって徐々に低くなるように傾斜している。この例では、上面の中央部が頂上となり徐々に低くなるように傾斜しているが、頂上は上面の中央部からずれていてもよい。
【００３４】
これら傾斜１２ｃ、１２ｄにより、雨水等は表示部１１ａのガラス板１１ｇに垂れることなく、図２の矢印で示すように、左右側面に垂れていくことになる。したがって、ガラス板１１ｇの汚れを軽減し、表示部１１ａの視認性を良好に保つことができる。
【００３５】
また、図１〜図４に示すように、ボディ１２の上面には、この上面側からフロントカバー１１の表面側に水が垂れることを防止するために、堤状に隆起している（特に、図４参照）。隆起は、図４に示すように、ボディ１２に設けられた、フロントカバー１１の上面と一致する高さの凸部１２ｅを含んでいる。
【００３６】
この凸部１２ｅにより、少量の雨水等では表示部１１ａのガラス板１１ｇに垂れることがなくなる。したがって、ガラス板１１ｇの汚れを軽減し、表示部１１ａの視認性を良好に保つことができる。また、凸部１２ｅは、フロントカバー１１の上面と一致する高さであるので、金型製作が容易になるという効果も付加される。
【００３７】
なお、凸部１２ｅのみならず、フロントカバー１１の上端付近も含めて、請求項の隆起と考えてもよい。勿論、水が垂れることを防止するという目的から、凸部１２ｅのみを請求項の隆起と考えてもよい。場合によっては、凸部を設けることなく、フロントカバー１１の上端付近が相対的に、ボディ１２の上面から出っ張るようにして両者を組み付けることにより、請求項の隆起を構成してもよい。
【００３８】
更に、凸部１２ｅと上記傾斜１２ｃ、１２ｄとの相乗効果により、雨水等がガラス板１１ｇに垂れるのが更に抑制されるので、ガラス板１１ｇの汚れがより軽減されて、表示部１１ａの視認性をより良好に保つことができる。
【００３９】
次に、図５及び図６を用いて、上記実施形態のいくつかの変形例について説明する。図５はメータ上面の傾斜の変形例を示し、図６（Ａ）及び図６（Ｂ）はメータ上面の隆起の変形例を示す図である。図５は図２に対応し、図６は図４に対応するものである。
【００４０】
図５に示すように、ボディ１２′の上面の傾斜１２ｆは、フロント部からみてボディ１２′上面の後縁に向かうにしたがって徐々に低くなるように傾斜していてもよい。この傾斜１２ｆにより、雨水等は表示部１１ａのガラス板１１ｇに垂れることなく、図５の矢印で示すように、ボディ１２′の後縁側に垂れていくことになる。したがって、ガラス板１１ｇの汚れを軽減し、表示部１１ａの視認性を良好に保つことができる。
【００４１】
なお、図示しないが、ボディ１２′上面を斜めに横切りつつ、後縁に向かうにしたがって徐々に低くなるように傾斜であってもよい。要は、上面側からフロントカバー１１の表面側に水が垂れることを防止するような傾斜であればよい。
【００４２】
また、図６（Ａ）に示すように、フロントカバー１１側にも、ボディ１２側の凸部１２ｅに対向するような、堤状の凸部１１ｅ′を設けるようにしてもよい。凸部１２ｅ及び凸部１１ｅ′は、同等の高さであり、組立時の面合わせにも兼用可能である。したがって、組立作業が容易になるという効果も付加される。
【００４３】
なお、図６（Ｂ）に示すように、ボディ１２″側には凸部を設けず、フロントカバー１１″側に凸部１１ｅ″を設けるようにしてもよい。要は、上面側からフロントカバー１１の表面側に水が垂れることを防止するような隆起が形成されればよい。
【００４４】
以上のように、本発明のガスメータの実施形態によれば、簡単な構成でありながら、雨水等による汚れを軽減し、表示部の視認性を良好に保つことができる。なお、本発明は、上記実施形態に限定されず、その主旨の範囲で変更された形態も含むものである。
【図面の簡単な説明】
【００４５】
【図１】本発明のガスメータの一実施形態を示す正面図である。
【図２】図１のガスメータの上面図である。
【図３】図１のガスメータの側面図である。
【図４】図３のＸ部の拡大図である。
【図５】メータ上面の傾斜の変形例を示す図である。
【図６】図６（Ａ）及び図６（Ｂ）は、メータ上面の隆起の変形例を示す図である。
【図７】従来のガスメータを示す正面図である。
【図８】図７のガスメータの上面図である。
【図９】図７のガスメータの側面図である。
【符号の説明】
【００４６】
１  ガスメータ
１１  フロントカバー
１２  ボディ
１１ａ  表示部
１１ｇ  ガラス板
１２ｃ、１２ｄ、１２ｆ  傾斜
１２ｅ  凸部
【図１】
2005214705.tif 000003
【図２】
2005214705.tif 000004
【図３】
2005214705.tif 000005
【図４】
2005214705.tif 000006
【図５】
2005214705.tif 000007
【図６】
2005214705.tif 000008
【図７】
2005214705.tif 000009
【図８】
2005214705.tif 000010
【図９】
2005214705.tif 000011